【手続補正書】
【提出日】平成16年7月29日(2004.7.29)
【手続補正１】
【補正対象書類名】明細書
【補正対象項目名】特許請求の範囲
【補正方法】変更
【補正の内容】
【特許請求の範囲】
【請求項１】
バラ積み状態の多数のチップ部品を所定の方向に一列に整列して供給するチップ部品供給装置において、
チップ部品をバラ積み状態のまま収納すると共に上記チップ部品が自重により下方へ移動できるようにその底面部が傾斜して形成された第１部品貯溜室と、
この第１部品貯溜室の下部に設けられ、上記チップ部品がその厚み方向に互いに重なり合わないように形成された空間内に上記チップ部品を２次元的に収納すると共に上記チップ部品が自重により下方へ移動できるようにその底面部が傾斜して形成された第２部品貯溜室と、
この第２部品貯溜室の下部に設けられ、上記チップ部品の横断面形状に見合うように形成され、上記チップ部品を１列に整列させる部品整列通路と、
上記第１部品貯溜室と第２部品貯溜室の間に設けられ、チップ部品を２次元的に整列させ下方へ自重移動させる第１整列手段と、
第２部品貯溜室と部品整列通路の間に設けられ、チップ部品を１列に整列させ下方へ自重移動させる第２整列手段と、
上記第１整列手段及び第２整列手段の少なくとも何れか一方に隣接する所定の位置に設けられ第１整列手段又は第２整列手段との間で上記チップ部品がはさみ込まれた際に所定方向に可動する可動プレート手段と、
上記部品整列通路上の部品を１個づつ所定位置へ送り出す送出手段と、
を有することを特徴とするチップ部品供給装置。
【請求項２】
上記第２部品貯溜室が、上記送出手段によるチップ部品の送り出し方向に対して直交する面に沿って設けられ、上記部品整列通路が、上記チップ部品の姿勢を送り出し方向に沿って捩じることなく垂直方向から水平方向に９０°変換しチップ部品をその最大面が上向く方向に整列させるように形成されていることを特徴とする請求項１記載のチップ部品供給装置。
【請求項３】
バラ積み状態の多数のチップ部品を所定の方向に一列に整列して供給するチップ部品供給装置において、
チップ部品をバラ積み状態のまま収納すると共に上記チップ部品が自重により下方へ移動できるようにその底面部が傾斜して形成された第１部品貯溜室と、
この第１部品貯溜室の下部に設けられ、上記チップ部品がその厚み方向に互いに重なり合わないように形成された空間内に上記チップ部品を２次元的に収納すると共に上記チップ部品が自重により下方へ移動できるようにその底面部が傾斜して形成された第２部品貯溜室と、
この第２部品貯溜室の下部に設けられ、上記チップ部品の横断面形状に見合うように形成され、上記チップ部品を１列に整列させる部品整列通路と、
上記第１部品貯溜室と第２部品貯溜室の間に設けられ、チップ部品を２次元的に整列させ下方へ自重移動させる第１整列手段と、
第２部品貯溜室と部品整列通路の間に設けられ、チップ部品を１列に整列させ下方へ自重移動させる第２整列手段と、
上記部品整列通路上の部品を１個づつ所定位置へ送り出す送出手段と、を有し、
上記第２部品貯溜室が、上記送出手段によるチップ部品の送り出し方向に対して直交する面に沿って設けられ、上記部品整列通路が、上記チップ部品の姿勢を送り出し方向に沿って捩じることなく垂直方向から水平方向に９０°変換しチップ部品をその最大面が上向く方向に整列させるように形成されていることを特徴とするチップ部品供給装置。
【手続補正２】
【補正対象書類名】明細書
【補正対象項目名】０００６
【補正方法】変更
【補正の内容】
【０００６】
【課題を解決するための手段】
上記の目的を達成するために、本発明は、バラ積み状態の多数のチップ部品を所定の方向に一列に整列して供給するチップ部品供給装置において、チップ部品をバラ積み状態のまま収納すると共にチップ部品が自重により下方へ移動できるようにその底面部が傾斜して形成された第１部品貯溜室と、この第１部品貯溜室の下部に設けられ、チップ部品がその厚み方向に互いに重なり合わないように形成された空間内に上記チップ部品を２次元的に収納すると共に上記チップ部品が自重により下方へ移動できるようにその底面部が傾斜して形成された第２部品貯溜室と、この第２部品貯溜室の下部に設けられ、チップ部品の横断面形状に見合うように形成され、チップ部品を１列に整列させる部品整列通路と、第１部品貯溜室と第２部品貯溜室の間に設けられ、チップ部品を２次元的に整列させ下方へ自重移動させる第１整列手段と、第２部品貯溜室と部品整列通路の間に設けられ、チップ部品を１列に整列させ下方へ自重移動させる第２整列手段と、第１整列手段及び第２整列手段の少なくとも何れか一方に隣接する所定の位置に設けられ第１整列手段又は第２整列手段との間でチップ部品がはさみ込まれた際に所定方向に可動する可動プレート手段と、部品整列通路上の部品を１個づつ所定位置へ送り出す送出手段と、を有することを特徴としている。
【手続補正３】
【補正対象書類名】明細書
【補正対象項目名】０００７
【補正方法】変更
【補正の内容】
【０００７】
このように構成された本発明においては、部品収納ケース内のチップ部品をバラ積み状態のまま第１部品貯溜室で収納した後、一旦、第２部品貯溜室により、チップ部品をその厚み方向に互いに重なり合わないように形成された空間内で２次元的に収納するようにし、最後に、部品整列通路でチップ部品を１列に整列させるようにしている。このように、チップ部品を３次元から２次元を経由して１列（１次元）へ移行させるようにしているので、効率よく、チップ部品を供給することが可能となる。また、その際、第１整列手段と第２整列手段を用いて、３次元から２次元へ、また、２次元から１列（１次元）へ、確実に移行させることができる。さらに、第１整列手段及び第２整列手段の少なくとも何れか一方に隣接する所定の位置に可動プレート手段を設けているため、第１整列手段又は第２整列手段との間でチップ部品がはさみ込まれた場合であっても、可動プレート手段が移動するため、チップ部品のはさみ込みを防止できる。
【手続補正４】
【補正対象書類名】明細書
【補正対象項目名】０００８
【補正方法】変更
【補正の内容】
【０００８】
また、本発明のチップ部品供給装置において、上記可動プレート手段は、第２整列手段の近傍の上記第２部品貯溜室内に設けられている第１可動プレート手段、第１整列手段の側面部に設けられている第２可動プレート手段、第１整列手段の背面部に設けられている第３可動プレート手段、の少なくとも何れか１つの可動プレート手段を有することが好ましい。
また、本発明のチップ部品供給装置において、上記第１整列手段及び第２整列手段は、一体的に形成された整列板であり、この整列板は、上下移動可能な２枚の壁面部材とこれらの２枚の壁面部材の間に形成された傾斜溝を有し、これらの２枚の壁面部材及び傾斜溝によりチップ部品がその厚み方向に互いに重なり合わないような空間が形成され、２枚の壁面部材が上昇し第１部品貯蔵室内に突き上がることにより、傾斜溝内に壁面部材の上部及び側部からチップ部品を導き入れて２次元的に整列させ、さらに、２枚の壁面部材と同時に上昇した傾斜溝によりチップ部品を１列に整列させ下方へ自重移動させるようにしたことが好ましい。
【手続補正５】
【補正対象書類名】明細書
【補正対象項目名】０００９
【補正方法】変更
【補正の内容】
【０００９】
また、本発明のチップ部品供給装置において、上記第２部品貯溜室が、送出手段によるチップ部品の送り出し方向に対して直交する面に沿って設けられ、部品整列通路が、上記チップ部品の姿勢を送り出し方向に沿って捩じることなく垂直方向から水平方向に９０°変換しチップ部品をその最大面が上向く方向に整列させるように形成されていることが好ましい。
また、本発明のチップ部品供給装置において、上記送出手段は、部品を所定方向に送り出す部品搬送ベルトと、この部品搬送ベルトの先端部に設けられチップ部品を１つだけ受け入れて部品送り出し方向と直交する水平方向に移動させて後続のチップ部品と分離するストッパー部材と、このストッパー部材の上方に設けられ移動後のチップ部品を外部に取り出すことができる窓部を有するカバー部材と、を有することが好ましい。
また、本発明のチップ部品供給装置において、上記送出手段が、部品を所定方向に送り出す部品搬送ベルトを有し、この部品搬送ベルトがマグネット材料により形成されていることが好ましい。
【手続補正６】
【補正対象書類名】明細書
【補正対象項目名】００１０
【補正方法】変更
【補正の内容】
【００１０】
また、本発明は、バラ積み状態の多数のチップ部品を所定の方向に一列に整列して供給するチップ部品供給装置において、チップ部品をバラ積み状態のまま収納すると共にチップ部品が自重により下方へ移動できるようにその底面部が傾斜して形成された第１部品貯溜室と、この第１部品貯溜室の下部に設けられ、チップ部品がその厚み方向に互いに重なり合わないように形成された空間内に上記チップ部品を２次元的に収納すると共にチップ部品が自重により下方へ移動できるようにその底面部が傾斜して形成された第２部品貯溜室と、この第２部品貯溜室の下部に設けられ、チップ部品の横断面形状に見合うように形成され、チップ部品を１列に整列させる部品整列通路と、第１部品貯溜室、第２部品貯溜室及び部品整列通路の各空間に連通する空間内に上下移動可能な整列板であって、この整列板が、上下移動可能な２枚の壁面部材とこれらの２枚の壁面部材の間に形成された傾斜溝を有し、これらの２枚の壁面部材及び傾斜溝によりチップ部品がその厚み方向に互いに重なり合わないような空間が形成され、２枚の壁面部材が上昇し第１部品貯蔵室内に突き上がることにより、傾斜溝内に壁面部材の上部及び側部からチップ部品を導き入れて２次元的に整列させ、さらに、２枚の壁面部材と同時に上昇した傾斜溝によりチップ部品を１列に整列させ下方へ自重移動させる整列板と、を有することを特徴としている。
さらに、本発明は、バラ積み状態の多数のチップ部品を所定の方向に一列に整列して供給するチップ部品供給装置において、チップ部品をバラ積み状態のまま収納すると共にチップ部品が自重により下方へ移動できるようにその底面部が傾斜して形成された第１部品貯溜室と、この第１部品貯溜室の下部に設けられ、チップ部品がその厚み方向に互いに重なり合わないように形成された空間内に上記チップ部品を２次元的に収納すると共にチップ部品が自重により下方へ移動できるようにその底面部が傾斜して形成された第２部品貯溜室と、この第２部品貯溜室の下部に設けられ、チップ部品の横断面形状に見合うように形成され、チップ部品を１列に整列させる部品整列通路と、第１部品貯溜室と第２部品貯溜室の間に設けられ、チップ部品を２次元的に整列させ下方へ自重移動させる第１整列手段と、第２部品貯溜室と部品整列通路の間に設けられ、チップ部品を１列に整列させ下方へ自重移動させる第２整列手段と、部品整列通路上の部品を１個づつ所定位置へ送り出す送出手段と、を有し、第２部品貯溜室が、送出手段によるチップ部品の送り出し方向に対して直交する面に沿って設けられ、部品整列通路が、チップ部品の姿勢を送り出し方向に沿って捩じることなく垂直方向から水平方向に９０°変換しチップ部品をその最大面が上向く方向に整列させるように形成されていることを特徴としている。